(57)【要約】【課題】本発明は、情報を提供することができるログイン認証システム及び方法を提供することを目的とする。【解決手段】本発明のログイン認証システムは、複数の広告内容情報が格納されている広告データベースと、前記広告データベースに接続されて前記広告内容情報を受信し、且つ受信した前記広告内容情報に基づいて広告認証情報を生成する広告認証情報生成モジュールと、前記広告認証情報を表示し且つ入力認証情報を受信するユーザーインタフェースモジュールと、前記広告認証情報生成モジュール及び前記ユーザーインタフェースモジュールに接続され、前記入力認証情報が前記広告認証情報にマッチングするかどうかを判断する入力認証モジュールと、を備える。本発明は、ログイン認証方法も提供する。【選択図】図１
2012043425.tif 000002
【特許請求の範囲】
【請求項１】
複数の広告内容情報が格納されている広告データベースと、
前記広告データベースに接続されて前記広告内容情報を受信し、且つ受信した前記広告内容情報に基づいて広告認証情報を生成する広告認証情報生成モジュールと、
前記広告認証情報を表示し、且つ入力認証情報を受信するユーザーインタフェースモジュールと、
前記広告認証情報生成モジュール及び前記ユーザーインタフェースモジュールに接続され、前記入力認証情報が前記広告認証情報にマッチングするかどうかを判断する入力認証モジュールと、
を備えることを特徴とするログイン認証システム。
【請求項２】
前記広告データベース及び前記広告認証情報生成モジュールに接続されて、前記広告データベースから前記広告内容情報を選択する広告選択モジュールをさらに備えることを特徴とする請求項１に記載のログイン認証システム。
【請求項３】
前記広告選択モジュールは、前記ユーザーインタフェースモジュールに接続されて、前記ユーザーインタフェースモジュールに広告分類を提供し、且つ
前記ユーザーインタフェースモジュールが前記広告分類に対する反応を受信し、
前記ユーザーインタフェースモジュールが前記広告分類に対する反応に基づいて、前記広告データベースから対応する広告内容情報を選択して前記広告認証情報生成モジュールに伝送することを特徴とする請求項２に記載のログイン認証システム。
【請求項４】
前記広告選択モジュールは、前記ユーザーインタフェースモジュールが訪問したウェブサイト内容テーマ又はユーザー入力履歴に基づいて、前記広告データベースから対応する広告内容情報を選択して前記広告認証情報生成モジュールに伝送することを特徴とする請求項２に記載のログイン認証システム。
【請求項５】
前記ユーザーインタフェースモジュール及び前記広告データベースに接続される広告リンクモジュールをさらに備え、
前記広告データベースには前記広告内容情報に対応するネットワークリンクアドレスが格納され、
前記広告リンクモジュールは、前記ユーザーインタフェースモジュールが前記広告認証情報に対する反応を受信して、前記広告内容情報に対応するネットワークリンクアドレスを開くことを特徴とする請求項１に記載のログイン認証システム。
【請求項６】
広告データベースから広告内容情報を読み取るステップと、
前記広告内容情報に基づいて広告認証情報を生成するステップと、
ユーザーインタフェースに前記広告認証情報を表示するステップと、
前記ユーザーインタフェースから入力認証情報を受信するステップと、
前記入力認証情報が前記広告認証情報にマッチングするかどうかを判断して、前記入力認証情報が前記広告認証情報にマッチングすると、認証が通過するステップと、
を備えることを特徴とするログイン認証方法。
【請求項７】
ユーザーインタフェースに広告分類を提供し、且つ前記ユーザーインタフェースが前記広告分類に対する反応を受信するステップをさらに備え、
前記ユーザーインタフェースが前記広告分類に対する反応に基づいて、前記広告データベースから対応する広告内容情報を選択することを特徴とする請求項６に記載のログイン認証方法。
【請求項８】
前記ユーザーインタフェースが訪問したウェブサイト内容テーマ又はユーザー入力履歴に基づいて、前記広告データベースから対応する広告内容情報を選択することを特徴とする請求項６に記載のログイン認証方法。
【発明の詳細な説明】
【技術分野】
【０００１】
本発明は、ログイン認証システム及び方法に関するものであり、特にインターネットに応用されるログイン認証システム及び方法に関するものである。
【背景技術】
【０００２】
計算機やインターネットの普及に伴い、計算機システムのセキュリティ管理が問題になっている。従来の計算機システムへのログインの方法は、ユーザー名とパスワードを使ったものが一般的であった。しかし、ユーザー名は公知になっている場合が多く、パスワードもハッカーによって解析されてしまったケースが数多く発生している。そこで、ユーザー名及びパスワードを使うとともに、認証コードを入力する方式でセキュリティを管理する方法が行われていた。
【発明の概要】
【発明が解決しようとする課題】
【０００３】
よく見かける認証コードは、４桁の数字又は４桁の文字を採用するが、もちろん両者を混用することもできる。しかし、このようなコードは、新しさがなく、いかなる情報も提供することができない。
【０００４】
本発明の目的は、前記課題を解決することであり、情報を提供することができるログイン認証システム及び方法を提供することである。
【課題を解決するための手段】
【０００５】
本発明に係るログイン認証システムは、複数の広告内容情報が格納されている広告データベースと、前記広告データベースに接続されて前記広告内容情報を受信し、且つ受信した前記広告内容情報に基づいて広告認証情報を生成する広告認証情報生成モジュールと、前記広告認証情報を表示し且つ入力認証情報を受信するユーザーインタフェースモジュールと、前記広告認証情報生成モジュール及び前記ユーザーインタフェースモジュールに接続され、前記入力認証情報が前記広告認証情報にマッチングするかどうかを判断する入力認証モジュールと、を備える。
【０００６】
本発明に係るログイン認証方法は、広告データベースから広告内容情報を読み取るステップと、前記広告内容情報に基づいて広告認証情報を生成するステップと、ユーザーインタフェースに前記広告認証情報を表示するステップと、前記ユーザーインタフェースから入力認証情報を受信するステップと、前記入力認証情報が前記広告認証情報にマッチングするかどうかを判断して、前記入力認証情報が前記広告認証情報にマッチングすると、認証が通過するステップと、を備える。
【発明の効果】
【０００７】
本発明のログイン認証システムは、ユーザーがインターネットウェブサイトにログインしているとき、ネットワークロボットによるユーザー情報の取得及びウェブサイトに対する破壊を防止することができるばかりでなく、広告内容情報も提供して、ウェブサイトの広告閲覧率を高めて、さらに販売率を高める。
【図面の簡単な説明】
【０００８】
【図１】本発明の実施形態に係るログイン認証システムの機能ブロック図である。
【図２】本発明の実施形態に係るログイン認証システムのユーザーインタフェースである。
【図３】本発明の実施形態に係るログイン認証方法のフローチャートである。
【発明を実施するための形態】
【０００９】
本発明のログイン認証システムは、ユーザーがインターネットウェブサイトにログインしているとき、ネットワークロボットの操作を防止するために用いられる認証システムである。前記ログイン認証システムは、ユーザーログイン認証、ユーザー登録、ネットワーク情報公表などのようなユーザー情報認証、記録又は入力などの行為を備える。
【００１０】
図１に示したように、前記ログイン認証システムは、ユーザーインタフェースモジュール１０、広告認証情報生成モジュール２０、広告選択モジュール２２、広告リンクモジュール２４、入力認証モジュール３０、広告データベース５０及び記憶装置７０を備える。
【００１１】
前記広告データベース５０には、複数の広告内容情報及び各々の広告内容情報に対応するネットワークリンクアドレスが格納されている。前記広告データベース５０は、分類方式によって複数の広告内容情報を格納する。前記広告内容情報は、テキスト又はイメージである。
【００１２】
前記広告認証情報生成モジュール２０は、前記広告データベース５０に直接に接続されて前記広告内容情報をランダムに選択するか、又は前記広告選択モジュール２２を介して前記広告内容情報を選択する。前記広告認証情報生成モジュール２０は、受信した前記広告内容情報に基づいて広告認証情報を生成する。前記広告認証情報は、イメージである。
【００１３】
前記ユーザーインタフェースモジュール１０は、前記広告認証情報生成モジュール２０に接続されて、ユーザーインタフェースを生成するために用いられる。前記ユーザーインタフェースは、前記広告認証情報を表示し且つユーザーの入力認証情報を受け取る。前記ユーザーインタフェースは、ネットワークブラウザーが提供する。
【００１４】
前記入力認証モジュール３０は、前記広告認証情報生成モジュール２０、前記ユーザーインタフェースモジュール１０及び前記記憶装置７０に接続される。前記入力認証モジュール３０は、前記入力認証情報が前記広告認証情報にマッチングするかどうかを判断する（即ち、前記入力認証情報が前記広告認証情報と同じであるか又は対応するかを判断する）（例えば、同じ入力、又は問題の返答）。前記記憶装置７０は、臨時記憶ユニットとして、前記ユーザーインタフェースモジュール１０のログイン情報を記録し、前記広告認証情報を格納することができる。
【００１５】
前記広告選択モジュール２２及び前記広告リンクモジュール２４によって、前記ログイン認証システムの広告選択機能及びリンク機能を増加することができる。
【００１６】
前記広告選択モジュール２２は、前記広告データベース５０及び前記広告認証情報生成モジュール２０に接続され、前記広告データベース５０から広告内容情報を選択する。前記広告選択モジュール２２は、複数の広告選択方式を備える。
【００１７】
前記広告選択モジュール２２は、前記ユーザーインタフェースモジュール１０に接続されて、前記ユーザーインタフェースモジュール１０に広告分類を提供し、且つ前記ユーザーインタフェースモジュール１０が前記広告分類に対する反応を受信することができる。例えば、前記広告選択モジュール２２は、食品、携帯電話、自動車などの分類を提供し、ユーザーは前記ユーザーインタフェースから好きな分類を選択し、前記広告選択モジュール２２は、前記ユーザーインタフェースモジュール１０が前記広告分類に対する反応（ユーザーの選択）に基づいて、前記広告データベース５０から対応する広告内容情報を選択して前記広告認証情報生成モジュール２０に伝送する。
【００１８】
前記広告リンクモジュール２４は、前記ユーザーインタフェースモジュール１０に接続されて、前記ユーザーインタフェースモジュール１０が前記広告認証情報に対する反応を受信し、例えば、ユーザーが前記広告認証情報の広告内容に対して興味を持っていると、ユーザーは前記広告認証情報をクリックすることができる。前記広告リンクモジュール２４は、前記広告データベース５０及び前記広告選択モジュール２２の中の一方に接続されて、前記広告内容情報に対応するネットワークリンクアドレス（即ち、広告ウェブページのリンクアドレス）を開く。前記広告リンクモジュール２４は、他の広告接続方式を採用することができる。
【００１９】
図２は、本発明の実施形態に係るログイン認証システムのユーザーインタフェースである。
【００２０】
図３に示したように、本発明の実施形態に係るログイン認証方法は、以下のステップを備える。
【００２１】
ステップＳ１０において、前記広告選択モジュール２２は、ユーザーインタフェースに広告分類を提供し、且つ前記ユーザーインタフェースが前記広告分類に対する反応を受信し、前記ユーザーインタフェースが前記広告分類に対する反応に基づいて、前記広告データベース５０から対応する広告内容情報を選択する。
【００２２】
ステップＳ１２において、前記広告認証情報生成モジュール２０は、前記広告選択モジュール２２が選択した広告内容情報を読み取るか又は受け取る。
【００２３】
上記のステップにおいて、前記広告認証情報生成モジュール２０は、直接に前記広告データベース５０から広告内容情報をランダムに選択することができる。前記広告選択モジュール２２は、ユーザーが訪問したウェブサイト内容テーマ又はユーザー入力履歴に基づいて、前記広告データベース５０から対応する広告内容情報を選択することができる。
【００２４】
ステップＳ１４において、前記広告認証情報生成モジュール２０は、前記広告内容情報に基づいて広告認証情報を生成する。
【００２５】
ステップＳ１６において、前記ユーザーインタフェースに前記広告認証情報を表示してから、前記広告リンクモジュール２４は、前記ユーザーインタフェースモジュール１０が前記広告認証情報に対する反応を受信し、前記広告内容情報に対応するネットワークリンクアドレス（即ち、広告ウェブページのリンクアドレス）を開く。
【００２６】
ステップＳ１８において、前記入力認証モジュール３０は、前記ユーザーインタフェースから入力認証情報を受け取る。前記広告ウェブページに基づいて、ユーザーは前記ユーザーインタフェースに前記広告認証情報と同じな前記広告内容のキーワードを入力するか、又は前記広告認証情報に対応する問題の返答を入力する。
【００２７】
ステップＳ２０において、前記入力認証モジュール３０は、前記入力認証情報が前記広告認証情報にマッチングするかどうかを判断する。即ち、前記入力認証情報が前記広告認証情報と同じであるか又は対応するかを判断する。例えば、同じ入力、又は問題の返答であるかを判断する。前記入力認証情報が前記広告認証情報にマッチングすると、ステップＳ２４に入って、認証が通過する。前記入力認証情報が前記広告認証情報にマッチングしないと、ステップＳ２２に入って、認証が失敗する。
【００２８】
本実施形態に係るログイン認証システムは、ユーザーがインターネットウェブサイトにログインしているとき、ネットワークロボットによるユーザー情報の取得及びウェブサイトに対する破壊を防止することができるばかりでなく、ユーザーの興味を分析することができる。従って、未来に関する操作を行う際、関する類型の広告を表示して、ユーザーが興味を持っている広告に接触することにして、ウェブサイトの広告閲覧率を高めて、さらに販売率を高める。  
【００２９】
実際に協力する際、広告商がリモートログインすることにして、異なる商品に対して、広告内容を増加するか又は修正して、新鮮感を維持する。ユーザーが興味を持っている広告内容を収集して分析することにより、市場調査とすることもできる。
【００３０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００３１】
１０  ユーザーインタフェースモジュール
２０  広告認証情報生成モジュール
２２  広告選択モジュール
２４  広告リンクモジュール
３０  入力認証モジュール
５０  広告データベース
７０  記憶装置
【図１】
2012043425.tif 000003
【図２】
2012043425.tif 000004
【図３】
2012043425.tif 000005